(57)【特許請求の範囲】
【請求項１】
原稿台に載置される原稿に対して光学的に走査して原稿画像を読み取る原稿読取装置であって、
前記原稿台上の原稿に光照射する光源と該光源にて光照射された原稿からの反射光を所定方向に導く第１反射部とを有し、かつ、前記原稿台に沿って副走査方向に移動するように構成された原稿走査部と、
前記原稿走査部からの原稿反射光を画像読取部に導く第２反射部を有し、かつ、該原稿走査部の副走査方向の移動に連動して前記原稿台に沿って副走査方向に移動するように構成された中間走査部とを備えた原稿読取装置において、
前記中間走査部に前記原稿台に対向するように設けられた原稿サイズセンサを備えており、
原稿読取前の待機状態では、前記原稿走査部を有効原稿読取領域の副走査読取方向上流側近傍に位置させ、かつ、前記中間走査部を前記有効原稿読取領域の副走査方向中央近傍に位置させた状態とし、この状態において原稿読取前に前記原稿サイズセンサによる原稿サイズの検出を行った後に、前記原稿走査部及び前記中間走査部を移動させることなく、原稿の読み取り処理に移行することを特徴とする原稿読取装置。
【請求項２】
請求項１記載の原稿読取装置において、
前記原稿サイズセンサは、原稿からの反射光を検出する反射型光学センサであることを特徴とする原稿読取装置。
【請求項３】
請求項１又は請求項２記載の原稿読取装置において、
前記原稿サイズセンサは、前記中間走査部における前記原稿台に対向する部分に主走査方向に沿って複数並設されたものであり、主走査方向の原稿サイズの検出を行うことを特徴とする原稿読取装置。
【請求項４】
請求項１から請求項３までの何れか一つに記載の原稿読取装置において、
副走査方向の原稿サイズを検出する副走査方向検出用反射型原稿サイズセンサをさらに備え、
前記副走査方向検出用反射型原稿サイズセンサは、当該原稿読取装置の底面に設けられていることを特徴とする原稿読取装置。
【発明の詳細な説明】
【技術分野】
【０００１】
本発明は、原稿台に載置される原稿に対して光学的に走査して原稿画像を読み取る原稿読取装置に関する。
【背景技術】
【０００２】
従来の原稿読取装置として、原稿台に載置される原稿のサイズを、原稿サイズセンサを用いて自動的に検知するものがある。かかる原稿読取装置を接続した複写機、複合機等の画像形成装置やコンピュータ等の外部機器では、例えば、原稿読取装置で検知した原稿サイズにより、倍率の決定や原稿画像のデータサイズの決定等の原稿サイズ情報に関わる設定がなされるようになっている。
【０００３】
ところで、原稿サイズセンサ（特に、原稿からの反射光を検出する反射型光学センサ）においては、原稿サイズを精度よく検知するためには、原稿台上の原稿に対し、できるだけ近接していることが望ましい。
【０００４】
この点を考慮して下記特許文献１には、原稿画像を読み取る前に、原稿台２上の原稿１に光照射する光源５と該光源５にて光照射された原稿１からの反射光を所定方向に導く反射部６とを有する走査部７を一旦移動させて、該走査部７に設けた原稿サイズセンサ１５ａ，１５ｂによって、原稿サイズを検知し、原稿画像を読み取るときに再び走査部７を移動させる技術が提案されている。
【特許文献１】特開昭６２−１２４５４５号公報
【発明の開示】
【発明が解決しようとする課題】
【０００５】
ところが、前記特許文献１記載の技術のように、光源と反射部とを有する走査部に原稿サイズセンサを設けた場合において原稿サイズを検知するためには、一旦走査部を移動させる必要があるので、原稿を原稿台に載置した後に速やかに原稿の読み取り処理に移行することができないという欠点がある。
【０００６】
そこで、本発明は、原稿の読み取り前に、原稿サイズを精度よく且つ速やかに検知することができ、これにより、原稿読取処理を遅らせることなく行うことができる原稿読取装置を提供することを目的とする。
【課題を解決するための手段】
【０００７】
本発明は、前記課題を解決するために、原稿台に載置される原稿に対して光学的に走査して原稿画像を読み取る原稿読取装置であって、前記原稿台上の原稿に光照射する光源と該光源にて光照射された原稿からの反射光を所定方向に導く第１反射部とを有し、かつ、前記原稿台に沿って副走査方向に移動するように構成された原稿走査部と、前記原稿走査部からの原稿反射光を画像読取部に導く第２反射部を有し、かつ、該原稿走査部の副走査方向の移動に連動して前記原稿台に沿って副走査方向に移動するように構成された中間走査部とを備えた原稿読取装置において、前記中間走査部に前記原稿台に対向するように設けられた原稿サイズセンサを備えており、原稿読取前の待機状態では、前記原稿走査部を有効原稿読取領域の副走査読取方向上流側近傍に位置させ、かつ、前記中間走査部を前記有効原稿読取領域の副走査方向中央近傍に位置させた状態とし、この状態において原稿読取前に前記原稿サイズセンサによる原稿サイズの検出を行った後に、前記原稿走査部及び前記中間走査部を移動させることなく、原稿の読み取り処理に移行することを特徴とする原稿読取装置を提供する。
【０００８】
本発明に係る原稿読取装置によれば、前記原稿サイズセンサは、前記中間走査部に前記原稿台に対向するように設けられているので、前記原稿台に載置される原稿と、前記原稿サイズセンサとを近接させることができ、これにより、原稿サイズを精度よく検出することができる。さらに、原稿読取前の待機状態では、前記原稿走査部を有効原稿読取領域の副走査読取方向上流側近傍に位置させ、かつ、前記中間走査部を前記有効原稿読取領域の副走査方向中央近傍に位置させた状態とし、この状態において原稿読取前に前記原稿サイズセンサによる原稿サイズの検出を行った後に、前記原稿走査部及び前記中間走査部を移動させることなく、原稿の読み取り処理に移行するので、原稿サイズを検知するために前記走査部を移動させる必要がなく、これにより、原稿を原稿台に載置して原稿サイズを検出した後に速やかに原稿の読み取り処理に移行することができる。
【０００９】
前記原稿サイズセンサとしては、例えば、原稿からの反射光を検出する反射型光学センサを用いることができる。本発明に係る原稿読取装置において、この反射型光学センサを用いる場合には、特に有効である。
【００１０】
本発明に係る原稿読取装置において、前記原稿サイズセンサとしては、前記中間走査部における前記原稿台に対向する部分に主走査方向に沿って複数並設されたものを例示できる。この場合、主走査方向の原稿サイズの検出を有効に行うことができる。
【００１１】
また、本発明に係る原稿読取装置において、副走査方向の原稿サイズを検出する副走査方向検出用反射型原稿サイズセンサをさらに備えていてもよい。この場合、さらに副走査方向の原稿サイズを検出することができる。この副走査方向検出用反射型原稿サイズセンサは、当該原稿読取装置の底面に設けられている態様を例示できる。
【発明の効果】
【００１２】
以上説明したように、本発明によると、原稿の読み取り前に、原稿サイズを精度よく且つ速やかに検知することができ、これにより、原稿読取処理を遅らせることなく行うことができる原稿読取装置を提供することができる。
【発明を実施するための最良の形態】
【００１３】
以下、本発明の実施形態について添付図面を参照しつつ説明する。なお、以下の実施の形態は、本発明を具体化した一例であって、本発明の技術的範囲を限定する性格のものではない。
【００１４】
［原稿読取装置１の概要］
図１は、本発明の一実施形態に係る原稿読取装置１の内部機構部分を示す斜視図である。なお、原稿読取装置１の全体構成、及びその中で原稿読取部２が果たす機能については、後の図２及び図３の説明部分で詳しく説明する。
【００１５】
図１に示すように、原稿読取装置１における原稿読取部２は、原稿台２７に載置された原稿Ｄ（図１では図示せず、図２参照）に対して原稿台２７に沿った主走査方向（図中Ｂ方向）及び該主走査方向Ｂに直交する原稿台２７に沿った副走査方向（図中Ａ方向）に光学的に走査して原稿画像を読み取るようになっている。
【００１６】
原稿読取部２は、原稿台２７と、第１走査ユニット２１と、第２走査ユニット２２と、画像読取部１９とを備えている。
【００１７】
第１走査ユニット２１は、光源１３と、第１ミラー１７ａとを備えている。光源１３は、原稿台２７上の原稿Ｄに光照射するものである。第１ミラー１７ａは、光源１３にて光照射された原稿Ｄからの反射光を第２走査ユニット２２に導くものである。そして、第１走査ユニット２１は、原稿台２７に沿って副走査方向Ａに往復移動するようになっている。
【００１８】
第２走査ユニット２２は、第２及び第３ミラー１７ｂ，１７ｃと、ミラー支持部２２ｃとを備えている。
【００１９】
第２ミラー１７ｂ及び第３ミラー１７ｃは、第１走査ユニット２１の第１ミラー１７ａからの原稿反射光を、画像読取部１９に導くようになっている。ミラー支持部２２ｃは、第２及び第３ミラー１７ｂ，１７ｃを支持するものであり、原稿台２７に対向する面２２ｃ’を有している。画像読取部１９は、ここでは、結像レンズ１６及び撮像素子１４を備えている（図１では図示せず、図２参照）。これら第１から第３ミラー１７ａ〜１７ｃ及び結像レンズ１６は、結像光学系１５を構成している。
【００２０】
そして、第２走査ユニット２２は、第１走査ユニット２１の副走査方向Ａの往復移動に連動して該第１走査ユニット２１と同方向に往復移動するようになっている。
【００２１】
［原稿読取装置１の全体構成］
図２は、図１に示す原稿読取装置１の機構的な構成を模式的に示す説明図である。まず、図１及び図２を参照しながら原稿読取部２についてさらに具体的に説明する。第１及び第２走査ユニット２１，２２を覆う筐体の原稿台２７と対向する面３５ｂ’は、当該原稿読取装置１の底面を構成している。詳しくは、原稿読取部２の外枠となるフレーム３５の底部には、平板状の底板３５ｂが取り付けられている。この底板３５ｂには原稿台２７と対向する面３５ｂ’を有している。底板３５ｂ上の暗箱１８で覆われた部分には、結像レンズ１６と撮像素子１４とが取り付けられている。
【００２２】
暗箱１８上に一点鎖線で記した矢印Ｘは、フレーム３５に取り付けられた結像レンズ１６の光軸の方向である。フレーム３５及び底板３５ｂには、例えば、表面に亜鉛メッキを施した鋼板を用いることができる。第１走査ユニット２１及び第２走査ユニット２２は、暗箱１８の上方を通過して底板３５ｂと原稿台２７との間で底板３５ｂ及び原稿台２７に沿って移動するようになっている。なお、第１走査ユニット２１は、本発明にいう原稿走査部の一例であり、第２走査ユニット２２は、本発明にいう中間走査部の一例である。
【００２３】
第１走査ユニット２１は、主走査方向Ｂの両端部に設けられたワイヤ固定部２１ａ，２１ｂと、主走査方向Ｂの中央部において光源ランプ１３及び第１ミラー１７ａを主走査方向Ｂに沿うように支持するミラー支持部２１ｃとを有している。第１ミラー１７ａは、本発明にいう第１反射部を構成している。ワイヤ固定部２１ａには、駆動ワイヤ４５ａが固定され、ワイヤ固定部２１ｂには、駆動ワイヤ４５ｂが固定されている。また、第１走査ユニット２１の主走査方向Ｂ両端部は、副走査方向Ａに沿って配設されたガイドレール３６ａ，３６ｂにそれぞれ支持され、ガイドレール３６ａ，３６ｂ上を副走査方向Ａに摺動自在に移動できるようになっている。第１走査ユニット２１の中央部に一点鎖線で記した矢印Ａ１は、第１走査ユニット２１の副走査方向Ａ一方側の移動方向を示す。この移動方向Ａ１は、本発明にいう副走査読取方向Ａ１（第１走査ユニット２１が原稿画像を読み取るために移動する方向）である。第１走査ユニット２１の主走査方向Ｂ両端部に固定された駆動ワイヤ４５ａ，４５ｂは、それぞれ、副走査方向Ａ一端部に設けられた支持プーリ５４ａ，５４ｂ及び副走査方向Ａ他端部に設けられた支持プーリ５５ａ，５５ｂにそれぞれ掛け渡されている。
【００２４】
第２走査ユニット２２は、主走査方向Ｂの両端部に設けられたワイヤ固定部２２ａ，２２ｂと、主走査方向Ｂの中央部において第２ミラー１７ｂ及び第３ミラー１７ｃを支持するミラー支持部２２ｃとを有している。第２ミラー１７ｂ及び第３ミラー１７ｃは、本発明にいう第２反射部を構成している。ワイヤ固定部２２ａには、プーリ４９ａが取り付けられ、プーリ４９ａに駆動ワイヤ４５ａが巻き掛けられている。ワイヤ固定部２２ｂには、プーリ４９ｂが取り付けられ、プーリ４９ｂに駆動ワイヤ４５ｂが巻き掛けられている。そして、駆動ワイヤ４５ａ，４５ｂは、一端部４５ａ’，４５ｂ’が底板３５ｂに支持された係止部材４６ａ，４６ｂにそれぞれ係止されており、他端部４５ａ”，４５ｂ”がそれぞれスプリング４７ａ，４７ｂを介してフレーム３５に取り付けられている。また、第２走査ユニット２２の主走査方向Ｂ両端部は、副走査方向Ａに沿って配設されたガイドレール３７ａ，３７ｂにそれぞれ支持され、ガイドレール３７ａ，３７ｂ上を副走査方向Ａに摺動自在に移動できるようになっている。そして、第２走査ユニット２２は、第１走査ユニット２１と同じ方向に移動するようになっている。
【００２５】
駆動モータ３８は、第１走査ユニット２１と第２走査ユニット２２とを駆動するステッピングモータであり、図示しないモータ制御回路によって回転動作が制御されることで、第１及び第２走査ユニット２１，２２が副走査方向Ａに往復移動できるようになっている。駆動モータ３８の出力軸３８ａの駆動回転は、タイミングベルト４４を介して駆動シャフト４３に伝達され、該駆動シャフト４３の回転にて該駆動シャフト４３の両端部に取り付けられた駆動プーリ３９ａ，３９ｂが回転できるようになっている。駆動プーリ３９ａ，３９ｂには、駆動ワイヤ４５ａ，４５ｂがそれぞれ巻き掛けられており、さらに駆動ワイヤ４５ａ，４５ｂは、それぞれ第１走査ユニット２１及び第２走査ユニット２２に固定されている。この駆動プーリ３９ａ，３９ｂの一方向又は他方向の回転は、駆動ワイヤ４５ａ，４５ｂによって直線往復運動に変換され、これにより、第１走査ユニット２１と第２走査ユニット２２とが副走査方向Ａに往復移動できるようになっている。なお、駆動シャフト４３、駆動プーリ３９ａ，３９ｂは鋼製のものを用いることが好ましく、駆動ワイヤ４５ａ，４５ｂはスチールワイヤを用いることが好ましい。
【００２６】
次に、原稿読取装置１の全体的な構成を以下に説明する。原稿読取部２は、既述したように、原稿載置面２７ａを有する原稿台２７と、原稿載置面２７ａに載置される原稿Ｄを照明する光源１３と、光源１３によって照明される原稿Ｄからの光を受光する撮像素子１４と、原稿Ｄからの光を撮像素子１４に結像する結像光学系１５とを備えている。原稿台２７は、透明なガラスからなり、矩形板状に形成されている。原稿載置面２７ａは、原稿台２７の厚み方向上側の面である。原稿載置面２７ａ上には、当該原稿読取装置１の使用者によって読み取り対象の原稿Ｄが載置される。光源１３の周囲には、該光源１３からの光を原稿載置面２７ａに集光する反射板１３ａが設けられている。光源１３、撮像素子１４及び結像光学系１５は、原稿台２７に対し、原稿載置面２７ａと反対側に配置されている。撮像素子１４としては、例えば、電荷結合素子（Charge Coupled Device、略称ＣＣＤ）を用いることができる。
【００２７】
結像光学系１５は、撮像素子１４に結像する結像レンズ１６と、原稿Ｄからの光を結像レンズ１６に導くミラー群１７とを有している。結像レンズ１６としては、例えば、複数枚のレンズを略円筒状の枠部材に固定したものを用いることができる。枠部材としては、例えば、アルミニウムやガラス入りの樹脂などの部材を用いることができる。ミラー群１７は、第１ミラー１７ａ、第２ミラー１７ｂ及び第３ミラー１７ｃからなっている。既述のとおり、第１ミラー１７ａは、光源１３と共に第１走査ユニット２１に搭載されており、第２及び第３ミラー１７ｂ，１７ｃは、第２走査ユニット２２に搭載されている。
【００２８】
第１走査ユニット２１は、後述する制御部３０の指示の下、駆動モータ３８、プーリ３９ａ，３９ｂ，４９ａ，４９ｂ，５４ａ，５４ｂ，５５ａ，５５ｂ、ワイヤ４５ａ，４５ｂからなる駆動系によって駆動されることで、矢印Ａ１の方向（副走査読取方向）に一定の速度Ｖで移動するようになっている。第２走査ユニット２２は、第１走査ユニット２１の副走査読取方向Ａ１下流側に位置しており、前記駆動系によって駆動されることで、第１走査ユニット２１の副走査読取方向Ａ１への速度Ｖの移動に対して２分の１の速度（Ｖ／２）で該副走査読取方向Ａ１に移動するようになっている。ここで副走査方向Ａは、副走査読取方向Ａ１及びこの副走査読取方向Ａ１の反対方向（図２中矢印Ａ２方向）の双方を含む。
【００２９】
かかる構成を備えた原稿読取部２では、光源１３から照射された光は、原稿載置面２７ａに載置された原稿Ｄの表面で乱反射して、原稿Ｄの表面（光照射面）から下方に反射される。原稿Ｄの表面から下方に反射した光は、第１ミラー１７ａで反射され、その後第２ミラー１７ｂ、第３ミラー１７ｃで順に反射されて、結像レンズ１６に導かれる。そして、第１走査ユニット２１及び第２走査ユニット２２の移動に伴って、ミラー群１７が原稿台２７に沿って移動する。撮像素子１４に結像する副走査方向Ａの原稿Ｄの読取位置は、第１及び第２走査ユニット２１，２２の移動によるミラー群１７の移動に伴って走査始端Ｐ１から走査終端Ｐ２に移動する。第１走査ユニット２１及び第２走査ユニット２２の移動中、両者の速度比は２：１に保たれるので、原稿面から結像レンズ１６に至る光路長が一定に保たれる。これによって、走査始端Ｐ１から走査終端Ｐ２までの各読取位置で、原稿載置面２７ａ上の原稿Ｄの画像を撮像素子１４に安定的に結像することができる。
【００３０】
図２（ａ）は、原稿読取前の状態であって、第１走査ユニット２１の原稿Ｄから第１ミラー１７ａに向かう光軸位置が走査始端Ｐ１よりも副走査読取方向Ａ１上流側（外側）の副走査開始位置Ｑ１にある状態を示している。また、図２（ｂ）は、原稿読取後の状態であって、第１走査ユニット２１の原稿Ｄから第１ミラー１７ａに向かう光軸位置が走査終端Ｐ２よりも副走査読取方向Ａ１下流側（外側）の副走査終了位置Ｑ２にある状態を示している。なお、図２で、Ｂで示した方向（紙面に垂直な方向）は主走査方向を示している。
【００３１】
ここでは、走査始端Ｐ１のさらに副走査読取方向Ａ１上流側に、シェーディング補正用の基準白板３が設けられている。そして、副走査開始位置Ｑ１は、基準白板３の下面を読み取り可能な位置とされている。第１走査ユニット２１は、基準白板３の読み取り位置（副走査開始位置Ｑ１）において、基準白板３の像を撮像素子１４に結像させることで、シェーディング補正が行えるようになっている。
【００３２】
また、第１走査ユニット２１の基準となる位置を検知するために、図示しない位置センサが設けられている。位置センサは、例えば、フォトインタラプタであってもよい。この場合、第１走査ユニット２１に設けられた遮光板がフォトインタラプタのスリット部を通過する位置で信号を検出することができる。制御部３０は、位置センサからの検出信号に基づき駆動モータ３８の回転動作を制御し、第１走査ユニット２１及び第２走査ユニット２２を図２（ａ）に示す待機位置で停止できるように構成されている。
【００３３】
図３は、図１に示す原稿読取装置１の制御部３０を中心に示すシステムブロック図である。なお、図２に示す原稿読取装置１の機構的部分である原稿読取部２（原稿読取部２の画像読取部１９（図３では図示せず））は、図３の画像処理部５に接続されている。
【００３４】
原稿読取装置１は、前記した原稿読取部２に加えて、制御部３０及び記憶部６を含んでいる。原稿読取部２は、既述したように、原稿Ｄに光を照射し、原稿Ｄから反射した光を結像光学系１５に導いて撮像素子１４で読み取るようになっている。制御部３０は、原稿サイズ判定部７、画像処理部５及び通信部８を備えている。
【００３５】
画像処理部５は、画像読取部１９における撮像素子１４からの画像信号をＡ／Ｄ変換して画像データに変換し、該変換した画像データに色変換処理、フィルタ処理等の画像処理を施すように構成されている。画像処理部５は、原稿読取部２と協働してシェーディング補正を実行するように構成されている。また、通信部８は、画像形成装置やコンピュータ等の外部機器に対して通信ケーブル等の情報伝達手段を介してデータ通信を行うように構成されている。なお、原稿サイズ判定部７については後ほど詳述する。
【００３６】
記憶部６は、画像処理部５が画像データに画像処理を施す際に、一時的に処理対象の画像データを記憶するように構成されている。
【００３７】
制御部３０は、例えば、図示を省略したが、ＣＰＵ等の情報処理装置と、該情報処理装置を実行するプログラムを格納するＲＯＭや作業用の記憶領域を提供するＲＡＭ、画像処理を行う各ブロックの設定値を記憶する不揮発性メモリ等のメモリ装置と、画像処理用及び通信用の回路ブロックを集積したＬＳＩなどの集積回路を用いた電子回路とで構成することができる。記憶部６は、例えば、ＤＲＡＭや他の方式のメモリ素子で構成することができる。また、記憶部６としては、ＨＤＤなどの大容量の補助記憶装置を適用することもできる。なお、制御部３０は、ここでは、原稿読取部２の制御部としても機能し、画像読取部２全体の動作を制御するようになっている。
【００３８】
かかる構成の原稿読取装置１では、撮像素子１４で読み取った原稿Ｄの画像信号が画像処理部５へ出力される。撮像素子１４からの画像信号は、画像処理部５にてＡ／Ｄ変換されて画像処理されると共にシェーディング補正が実行される。この画像処理部５にて画像処理される際には、一時的に処理対象の画像データが記憶部６に記憶される。また、処理された画像データは、通信部８を介して外部機器へ転送し終えるまで記憶部６に保持される。そして、画像処理部５を介して記憶部６にて保持された画像データは、通信部８にて外部機器へ転送される。
【００３９】
［本発明の特徴部分の説明］
本実施の形態に係る原稿読取装置１は、原稿台１と、第１走査ユニット２１と、第２走査ユニット２２と、制御部３０とを備え、さらに原稿サイズセンサＳを有している。
【００４０】
原稿サイズセンサＳは、図１及び図２に示すように、第２走査ユニット２２における原稿台２７に対向する部分に設けられている。具体的には、原稿サイズセンサＳは、第２走査ユニット２２における原稿台２７に近接する部分（ここでは原稿台２７との対向面２２ｃ’）に設けられている。
【００４１】
そして、制御部３０は、原稿読取前の待機状態では、図２（ａ）に示すように、第１走査ユニット２１を有効原稿読取領域αの副走査読取方向Ａ１上流側近傍に（ここでは第１走査ユニット２１の原稿Ｄから第１ミラー１７ａに向かう光軸位置を副走査開始位置Ｑ１に）位置させると共に、第２走査ユニット２２を有効原稿読取領域αの副走査方向Ａ中央近傍（ここでは有効原稿読取領域αの副走査方向Ａ中央位置よりも走査始端Ｐ１と副走査開始位置Ｑ１との間の距離の半分だけ副走査読取方向Ａ１上流側）に位置させた状態とし、この状態において原稿読取前に原稿サイズセンサＳによる原稿サイズの検出を行った後に、第１走査ユニット２１及び第２走査ユニット２２を移動させることなく、原稿Ｄの読み取り処理に移行するように構成されている。
【００４２】
ここで、有効原稿読取領域αとは、画像読取部１９にて原稿台２７上の原稿Ｄの画像を読み取ることが可能な領域をいい、副走査方向Ａでは本例の走査始端Ｐ１と走査終端Ｐ２との間の領域をいう。
【００４３】
以上説明した原稿読取装置１では、図２（ａ）に示すように、原稿サイズセンサＳを第２走査ユニット２２に原稿台２７に対向するように設けるので、原稿台２７に載置された原稿Ｄと、原稿サイズセンサＳとを近接させることができ、これにより、原稿サイズを精度よく検出することができる。さらに、原稿読取前の待機状態では、第１走査ユニット２１を走査始端Ｐ１の副走査読取方向Ａ１上流側近傍に位置させると共に、第２走査ユニット２２を走査始端Ｐ１と走査終端Ｐ２との間の領域αの副走査方向Ａ中央近傍に位置させた状態としており、この状態において原稿読取前に原稿サイズセンサＳによる原稿サイズの検出を行った後に、第１走査ユニット２１及び第２走査ユニット２２を移動させることなく、原稿Ｄの読み取り処理に移行するので、原稿サイズを検知するために走査ユニット２１，２２を移動させる必要がなく、これにより、原稿Ｄを原稿台２７に載置して原稿サイズを検出した後に速やかに原稿Ｄの読み取り処理に移行することができる。
【００４４】
本実施の形態では、原稿サイズセンサＳは、複数のセンサＳ１〜Ｓｎ（ｎは１以上の整数）からなっている。原稿サイズセンサＳ１〜Ｓｎは、第２走査ユニット２２に主走査方向Ｂに沿って複数並設されており、主走査方向Ｂの原稿サイズの検出を行うようになっている。原稿サイズセンサＳ１〜Ｓｎは、センサ出力信号が制御部３０における原稿サイズ判定部７に送信されるように制御部３０の入力系に接続されている。
【００４５】
原稿サイズ判定部７は、原稿サイズセンサＳ１〜Ｓｎのセンサ出力信号に基づいて、原稿台２７に載置された原稿Ｄの主走査方向Ｂの原稿サイズを所定の異なる複数の定型サイズ（ここでは主走査方向Ｂのサイズ）のうちの何れかとして判定するように構成されている。
【００４６】
なお、原稿サイズセンサＳ１〜Ｓｎは、ここでは、原稿Ｄからの反射光を検出する反射型光学センサとされている。
【００４７】
図４は、原稿サイズ検知の動作原理を説明するための図であって、原稿サイズセンサＳ１〜Ｓｎを設けた第２走査ユニット２２と、原稿Ｄを載置した原稿台２７とを副走査方向Ａ一方側から視た概略側面図である。
【００４８】
原稿サイズセンサＳ１〜Ｓｎは、図４に示すように、所定の光（例えば赤外光）を照射する照射部Ｓａと、原稿Ｄからの反射光を受光する受光部Ｓｂとを備えている。原稿サイズ判定部７は、各原稿サイズセンサＳ１〜Ｓｎにおいて照射部Ｓａから原稿Ｄで反射した受光部Ｓｂへの反射光の有無により、原稿サイズを特定するように構成されている。
【００４９】
本実施の形態の原稿読取装置１では、原稿読取前の待機状態において、第２走査ユニット２２に配置された原稿サイズセンサＳ１〜Ｓｎは、照射部Ｓａから原稿載置面２７ａ上に載置された原稿Ｄへ光を照射し、原稿Ｄが有る場合（原稿Ｄからの反射光を受けた場合）には受光部Ｓｂから原稿有りを示すセンサ出力信号（例えばＯＮ信号）を原稿サイズ判定部７へ送信する一方、原稿Ｄがない場合（原稿Ｄからの反射光がない場合）には受光部Ｓｂから原稿無しを示すセンサ出力信号（例えばＯＦＦ信号）を原稿サイズ判定部７へ送信する。原稿サイズ判定部７では、受光部Ｓｂから受けた原稿有り又は原稿無しを示すセンサ出力信号（例えばＯＮ信号又はＯＦＦ信号）によって、原稿サイズが特定される。
【００５０】
図５は、原稿サイズの特定を説明するための図であって、原稿サイズセンサの配置構成を平面から視た概略平面図である。なお、図５において、符号Ａ５，Ｂ５，ＬＴＲ，Ａ４は、ぞれぞれ、Ａ５サイズ、Ｂ５サイズ、レターサイズ及びＡ４サイズの原稿Ｄを長手方向が主走査方向Ｂに沿うように配置した状態を示しており、符号Ｂ５Ｒ，Ａ４Ｒ，Ｂ４，Ａ３は、ぞれぞれ、Ｂ５サイズ、Ａ４サイズ、Ｂ４サイズ及びＡ３サイズの原稿Ｄを長手方向が副走査方向Ａに沿うように配置した状態を示している。
【００５１】
図５に示す例では、原稿台２７に載置される原稿Ｄは、有効原稿読取領域αの副走査方向Ａ１下流側端及び主走査方向一方側端の双方を基準として位置決めされる。
【００５２】
原稿サイズセンサＳ１〜Ｓｎは、図５に示す例では、４個のセンサＳ１〜Ｓ４からなっている。原稿サイズセンサＳ１〜Ｓ４は、既述のとおり、第２走査ユニット２２の原稿台２７に近接する面２２ｃ’に設けられている。
【００５３】
なお、従来の原稿読取装置では、原稿サイズセンサは、通常は当該原稿読取装置の底面に設けられており、原稿台に載置される原稿と原稿サイズセンサとの距離がそれだけ遠くなるため、例えば、Ａ４サイズ原稿及びレターサイズ原稿といったサイズの近寄った原稿のサイズを精度良く検知することが困難であった。この点、本発明では、センサＳ１〜Ｓ４が原稿Ｄの近くで検出できるので、サイズの近寄った原稿Ｄのサイズであっても精度良く検出することができる。
【００５４】
原稿サイズセンサＳ１は、原稿Ｄが符号Ｂ５Ｒの配置状態では原稿無し（原稿Ｄが存在しないこと、以下同じ）を示す信号を出力し、且つ、それ以外の配置状態では原稿有り（原稿Ｄが存在すること、以下同じ）を示す信号を出力する位置に設けられている。
【００５５】
原稿サイズセンサＳ２は、原稿Ｄが符号Ｂ５Ｒ，Ａ５，Ａ４Ｒの配置状態では原稿無しを示す信号を出力し、且つ、それ以外の配置状態では原稿有りを示す信号を出力する位置に設けられている。
【００５６】
原稿サイズセンサＳ３は、原稿Ｄが符号Ｂ５Ｒ，Ａ５，Ａ４Ｒ，Ｂ５，Ｂ４の配置状態では原稿無しを示す信号を出力し、且つ、それ以外の配置状態では原稿有りを示す信号を出力する位置に設けられている。
【００５７】
原稿サイズセンサＳ４は、原稿Ｄが符号Ｂ５Ｒ，Ａ５，Ａ４Ｒ，Ｂ５，Ｂ４，ＬＴＲの配置状態では原稿無しを示す信号を出力し、且つ、それ以外の配置状態では原稿有りを示す信号を出力する位置に設けられている。
【００５８】
かかる構成により、原稿サイズ判定部７は、次の表１に示すように判定することができる。
【００５９】
【表１】
0004531095.tif 000002
なお、表１中の「有」は原稿有りの検出結果を示し、表１中の「無」は原稿無しの検出結果を示している。後述する表２も同様である。
【００６０】
また、本実施の形態では、副走査方向Ａの原稿サイズを検出する副走査方向検出用反射型原稿サイズセンサＴをさらに備えている（図１及び図５参照）。この原稿サイズセンサＴは、当該原稿読取装置１の底面（ここでは底板３５ｂの原稿台２７と対向する面３５ｂ’）に設けられている。
【００６１】
詳しくは、原稿サイズセンサＴは、複数のセンサＴ１〜Ｔｎからなっている。原稿サイズセンサＴ１〜Ｔｎは、底面３５ｂ’に副走査方向Ａに沿って複数並設されており、副走査方向Ａの原稿サイズの検出を行うようになっている。原稿サイズセンサＴの数は、主走査方向Ｂの原稿サイズを検出する原稿サイズセンサＳの数と異なっていてもよい。原稿サイズセンサＴ１〜Ｔｎは、図３では図示を省略したが、センサ出力信号が制御部３０における原稿サイズ判定部７に送信されるように制御部３０の入力系に接続されている。なお、原稿サイズセンサＴは、原稿Ｄからの反射光を検出するものであり、原稿サイズセンサＳの構成と同様のものである。従って、ここでは詳しい説明は省略する。
【００６２】
そして、原稿サイズ判定部７は、原稿サイズセンサＳ１〜Ｓｎ及び原稿サイズセンサＴ１〜Ｔｎのセンサ出力信号に基づいて、原稿台２７に載置された原稿Ｄの原稿サイズを所定の異なる複数の定型サイズの何れかとして判定するように構成されている。
【００６３】
原稿サイズセンサＴは、図５に示す例では、４個のセンサＴ１〜Ｔ４からなっている。原稿サイズセンサＴ１〜Ｔ４は、既述のとおり、原稿読取装置底面３５ｂ’に設けられている。
【００６４】
原稿サイズセンサＴ１は、原稿Ｄが符号Ａ５，Ｂ５，ＬＴＲ，Ａ４の配置状態では原稿無しを示す信号を出力し、且つ、それ以外の配置状態では原稿有りを示す信号を出力する位置に設けられている。
【００６５】
原稿サイズセンサＴ２は、原稿Ｄが符号Ａ５，Ｂ５，ＬＴＲ，Ａ４，Ｂ５Ｒの配置状態では原稿無しを示す信号を出力し、且つ、それ以外の配置状態では原稿有りを示す信号を出力する位置に設けられている。
【００６６】
原稿サイズセンサＴ３は、原稿Ｄが符号Ａ５，Ｂ５，ＬＴＲ，Ａ４，Ｂ５Ｒ，Ａ４Ｒの配置状態では原稿無しを示す信号を出力し、且つ、それ以外の配置状態では原稿有りを示す信号を出力する位置に設けられている。
【００６７】
原稿サイズセンサＴ４は、原稿Ｄが符号Ａ５，Ｂ５，ＬＴＲ，Ａ４，Ｂ５Ｒ，Ａ４Ｒ，Ｂ４の配置状態では原稿無しを示す信号を出力し、且つ、それ以外の配置状態では原稿有りを示す信号を出力する位置に設けられている。
【００６８】
かかる構成により、原稿サイズ判定部７は、次の表２に示すように判定することができる。
【００６９】
【表２】
0004531095.tif 000003
なお、原稿サイズの判定は、以上説明したような判定に限定されるものではない。
【図面の簡単な説明】
【００７０】
【図１】本発明の一実施形態に係る原稿読取装置の内部機構部分を示す斜視図である。
【図２】図１に示す原稿読取装置の機構的な構成を模式的に示す説明図である。
【図３】図１に示す原稿読取装置の制御部を中心に示すシステムブロック図である。
【図４】原稿サイズ検知の動作原理を説明するための図である。
【図５】原稿サイズの特定を説明するための図である。
【符号の説明】
【００７１】
１                原稿読取装置
１３              光源
１７ａ            第１ミラー（第１反射部の一例）
１７ｂ，１７ｃ    第２及び第３ミラー（第２反射部の一例）
１９              画像読取部
２１              第１走査ユニット（原稿走査部の一例）
２２              第２走査ユニット（中間走査部の一例）
２７              原稿台
３５ｂ’          原稿読取装置の底面
Ａ                副走査方向
Ａ１              副走査読取方向
Ｂ                主走査方向
Ｄ                原稿
Ｓ（Ｓ１〜Ｓｎ）  原稿サイズセンサ
Ｔ（Ｔ１〜Ｔｎ）  副走査方向検出用反射型原稿サイズセンサ
α                有効原稿読取領域
【図１】
0004531095.tif 000004
【図２】
0004531095.tif 000005
【図３】
0004531095.tif 000006
【図４】
0004531095.tif 000007
【図５】
0004531095.tif 000008